(57)【要約】【課題】紙加工における、巻取残紙を処理する方法を提供する。【解決手段】コアに残存する巻取紙を処理する巻取残紙の処理方法であって、巻取紙が残存するコアを、処理装置の固定側チャックコアにセットし、各種コア長さに対応すべく反対側がスライドレールによる可動式チャックコアとした部位を押し当て、ロックピンにて最寄りのセット穴で位置決めして、クイックロックにて強固に固定した後、紙切断手段で残紙を切断し、コアから除去する巻取残紙の処理方法。また、該コアの一端を保持する固定側チャックコアと、該コアのもう一方端を保持する可動式チャックコアと、該可動式チャックコアを保持し、スライドレール上に載置されて該レールに沿って可動にされた可動式チャックコア可動手段と、該可動式チャックコア可動手段を固定するロックピンと、該コアを強固に固定するクイックロックと、を有する巻取残紙の処理装置。【選択図】図１
2008247515.tif 000002
【特許請求の範囲】
【請求項１】
コアに残存する巻取紙を処理する巻取残紙の処理方法であって、巻取紙が残存するコアを、処理装置の固定側チャックコアにセットし、各種コア長さに対応すべく反対側がスライドレールによる可動式チャックコアとした部位を押し当て、ロックピンにて最寄りのセット穴で位置決めして、クイックロックにて強固に固定した後、紙切断手段で残紙を切断し、コアから除去することを特徴とする巻取残紙の処理方法。
【請求項２】
コアに残存する巻取紙を処理する巻取残紙の処理装置であって、該コアの一端を保持する固定側チャックコアと、該コアのもう一方端を保持する可動式チャックコアと、該可動式チャックコアを保持し、スライドレール上に載置されて該レールに沿って可動にされた可動式チャックコア可動手段と、該可動式チャックコア可動手段を固定するロックピンと、該コアを強固に固定するクイックロックと、を有することを特徴とする巻取残紙の処理装置。
【発明の詳細な説明】
【技術分野】
【０００１】
本発明は、紙加工における巻取残紙の処理方法及び装置に関し、特に各種長さの巻取残紙を、受け台や床上に直接受けることなく、強固にコアを固定して残紙の処理が行える巻取残紙の処理方法とそれを達成する装置に関する。
【背景技術】
【０００２】
紙加工における製造工程では、コアやリールに巻き付けた巻取紙をカッターマシン等のアンワインダーで繰り出し、後工程の準備等を行う作業がある。
【０００３】
この時、繰り出し作業が終わった紙巻取りには、厚さ２０ｍｍ程度の下巻紙が残る。ワインダーで巻き取るこの下巻紙の最初のところでは、皺や折れ込みが発生して、この部分は後工程に送ることを避けなければならない。また、下巻紙の残ったままのコアに、新しい紙を巻き込むと、より一層の皺や不良紙が出来てしまう。
【０００４】
また、紙の種類を変更する時に調整しながら巻取紙としたり、異常品質を修正する間に巻取紙とした場合にも、巻取残紙となる。
【０００５】
この巻取残紙は回収紙とするが、コアやリールから巻取紙を除去するために、作業者が巻取紙が残るコアやリールを受け台または床上に置いてカッターナイフ等で切り取り処理している。この作業を受け台や床上に置いてすると、巻取残紙の固定が出来ず、不安定のため、危険が伴う仕事である。
【０００６】
そこで、巻取紙が残存するスプールをレール上のスプールホルダーに置き、サポートロールで押上げて、横当て駆動ロールで回転させ、スプールに残存する巻取紙を繰り出してレールの下方に落下させるスプール巻取残紙の処理装置が提案されている（例えば、特許文献１参照）。しかし、この処理装置では、繰り出された巻取残紙は連続しているため、床上に広がるなどして、その後の残紙処理の作業性が悪いし、それを防止するための何らかの残紙処理手段が必要である。
【特許文献１】特開平５−１７０５４号公報
【発明の開示】
【発明が解決しようとする課題】
【０００７】
本発明は、コアの巻取残紙の処理作業を安全化し、処理作業の効率を向上させて、上記の問題を解決する巻取残紙の処理及び装置を提供することにある。
【課題を解決するための手段】
【０００８】
本発明者は上記の課題を解決すべく鋭意検討した結果、コアに残存する巻取紙を処理する巻取残紙の処理方法であって、巻取紙が残存するコアを、処理装置の固定側チャックコアにセットし、各種コア長さに対応すべく反対側がスライドレールによる可動式チャックコアとした部位を押し当て、ロックピンにて最寄りのセット穴で位置決めして、クイックロックにて強固に固定した後、紙切断手段で残紙を切断し、コアから除去することを特徴とする巻取残紙の処理方法により、本発明に係る課題を解決した。
【０００９】
また、上記課題は、コアに残存する巻取紙を処理する巻取残紙の処理装置であって、該コアの一端を保持する固定側チャックコアと、該コアのもう一方端を保持する可動式チャックコアと、該可動式チャックコアを保持し、スライドレール上に載置されて該レールに沿って可動にされた可動式チャックコア可動手段と、該可動式チャックコア可動手段を固定するロックピンと、該コアを強固に固定するクイックロックと、を有することを特徴とする巻取残紙の処理装置により解決した。
【発明の効果】
【００１０】
本発明の巻取残紙の処理方法及び装置は、巻取残紙の処理作業工程を安全化することができ、従来作業者が行っていた作業の効率を向上できる。その結果作業者の危険作業が軽減され、工場無災害化に大いに役立つ。
【発明を実施するための最良の形態】
【００１１】
本発明の巻取残紙の処理装置は、該コアの一端を保持する固定側チャックコアと、該コアのもう一方端を保持する可動式チャックコアと、該可動式チャックコアを保持し、スライドレール上に載置されて該レールに沿って可動にされた可動式チャックコア可動手段と、該可動式チャックコア可動手段を固定するロックピンと、該コアを強固に固定するクイックロックと、を有する処理装置であり、カッターマシンのアンワインダー部側部に設置するのが好適である。
【００１２】
本発明の巻取残紙の処理装置を用いて巻取残紙を処理するには、巻取紙が残存するコアを、処理装置の固定側チャックコアにセットし、各種コア長さに対応すべく反対側がスライドレールによる可動式チャックコアとした部位を押し当て、ロックピンにて最寄りのセット穴で位置決めして、クイックロックにて強固に固定した後、紙切断手段で残紙を切断し、コアから除去する。
【００１３】
アンワインダーで巻取紙の繰り出し最終後に巻取コアに残存する下巻紙や、品種変更時、品質調整時等に発生した巻取残紙を、処理装置の下方で回収し、回収紙として直接パルパー等の離解機へ投入するか、あるいはスリッター、カッター処理してコンベヤーでパルパー等の回収離解機やコンプレスマシン等の梱包機に送るか、または焼却処分する。
【００１４】
巻取残紙の除去は、巻取紙が残存するコアを、該コアの一端を保持する固定側チャックコアにセットし、該コアのもう一方端を保持する可動式チャックコアを保持し、各種コア長さに対応すべく、スライドレール上に載置されて該レールに沿って可動にされた可動式チャックコア可動手段に付帯する可動式チャックコアを該コアのもう一方端に押し当て、ロックピンにて最寄りのセット穴で位置決めする。このとき、同じ長さのコアが続く場合は、ロックピンによる再セットは不要である。
【００１５】
ロックピンにて位置決めした後、クイックロックにてコアをコア保持手段に強固に固定する。クイックロックによる固定は、レバーを押し上げることによりコアを固定側チャックコアに押し付け、コア保持手段に固定することができる。
【００１６】
本発明の処理装置に固定されたコアにおける巻取残紙は、カッター等の紙切断手段で切断する。切断手段で切断した紙は、処理装置の下方に予めトロ等の残紙移動手段を用意しておき、それに落下堆積させれば、残紙の後処理がより容易になる。
【００１７】
巻取紙を除去して再使用が可能になったコアはまとめた後、前工程へ戻す。
【実施例】
【００１８】
本発明の巻取残紙の処理方法に係る装置を図面を参照して説明する。
図１に示すように、巻取が残存したコア１を、固定側チャックコア２に押し込んで作業動作の準備をする。
【００１９】
可動式チャックコア３を、コアが固定可能な範囲のロックピン固定用ピン穴４まで移動させ、ロックピン５を差し込む。
【００２０】
クイックロック６のチャックコア付きロッドを更に押し込むべく、レバー７を押し上げる。
【００２１】
固定を確認した後、カッター等の紙切断手段で残紙を切断して処理装置の下方にセットしたトロへ落下させる。
【００２２】
こうしてコアの巻取残紙が全て除去されたら、レバー７を解除して、次のコアをセットし、作業を繰り返す。
【図面の簡単な説明】
【００２３】
【図１】本発明に係る処理装置全体を説明する概念図である。
【符号の説明】
【００２４】
１  巻取が残存したコア
２  固定側チャックコア
３  可動式チャックコア
４  ロックピン固定用ピン穴
５  ロックピン
６  クイックロック
７  レバー
【図１】
2008247515.tif 000003